(57)【特許請求の範囲】
【請求項１】
毛髪の束の基端に、その毛髪の束を地毛に装着するための両面粘着テープが貼着されたヘアエクステンションであって、
前記毛髪の束の基端が、
複数の毛髪を、基端縁が直線状になるように横並びに揃えて、それらの毛髪の基端際を、接着剤によって接着幅が一定の幅になるように接着させてなる第一毛髪層と、
複数の毛髪を、前記第一毛髪層の上側に、基端縁が直線状になるように横並びに揃えて積層し、それらの毛髪の基端際を、接着剤によって接着幅が前記第一毛髪層の接着幅より狭くなるように接着させてなる第二毛髪層とを有するものであり、
前記第一毛髪層に前記両面粘着テープが貼着されていることを特徴とするヘアエクステンション。
【請求項２】
前記第一毛髪層および前記第二毛髪層が、一定の厚みになるように形成されたものであることを特徴とする請求項１に記載のヘアエクステンション。
【請求項３】
前記第一毛髪層および前記第二毛髪層の厚みが、それぞれ、０．０５ｍｍ以上０．４ｍｍ以下になるように調整されているとともに、前記第二毛髪層の厚みが前記第一毛髪層の厚み以下になっていることを特徴とする請求項１、または２に記載のヘアエクステンション。
【請求項４】
前記両面粘着テープの外端縁に、所定の間隔でスリットが平行に設けられていることを特徴とする請求項１〜３のいずれかに記載のヘアエクステンション。
【発明の詳細な説明】
【技術分野】
【０００１】
本発明は、頭髪にボリューム感を与える等の目的で地毛に装着するヘアエクステンション（付け毛）に関するものである。
【背景技術】
【０００２】
従来のヘアエクステンションとしては、付け足す毛髪の束の基端に金属製のチューブが付設されており、その金属製のチューブの内部に地毛を挿通させた状態でチューブを圧壊することによって地毛に装着するものが知られている。また、接着剤を含浸させた毛髪の束からなる筒状体の外側に熱収縮チューブが被覆されており、筒状体の内部に地毛を挿通させた状態で熱収縮チューブをアイロン等で加熱することにより、収縮したチューブと溶融させた接着剤とによって地毛に装着するものも開発されている（特許文献１）。
【０００３】
さらに、近年では、より短時間で簡便に頭髪に装着できるように、両面粘着テープを利用して地毛に粘着させるタイプのもの（すなわち、両面粘着テープの片面に毛髪を粘着させて両面粘着テープの他面を地毛に粘着させるもの）も開発されている（特許文献２）。
【先行技術文献】
【特許文献】
【０００４】
【特許文献１】特開２００８−２０２１９９号公報
【特許文献２】実用新案登録第３１９８８５２号公報
【発明の概要】
【発明が解決しようとする課題】
【０００５】
しかしながら、特許文献２の如き、両面粘着テープを利用して地毛に粘着させるタイプのヘアエクステンションは、非常に容易に頭髪（地毛）に装着することができるものの、粘着された毛髪の隙間から両面粘着テープが見えてしまうため、頭髪に装着されていることを他の人に瞬時に悟られてしまう、という不具合がある。また、粘着された毛髪の隙間から地毛が両面粘着テープに張り付いてしまう、という不具合もある。
【０００６】
本発明の目的は、上記従来のヘアエクステンションが有する問題点を解消し、きわめて容易に頭髪（地毛）に装着することができる上、頭髪に装着していることを他の人に悟られにくい実用的なヘアエクステンションを提供することにある。
【課題を解決するための手段】
【０００７】
本発明の内、請求項１に記載された発明は、毛髪の束の基端に、その毛髪の束を地毛に装着するための両面粘着テープが貼着されたヘアエクステンションであって、前記毛髪の束の基端が、複数の毛髪を、基端縁が直線状になるように横並びに揃えて、それらの毛髪の基端際を、接着剤によって接着幅が一定の幅になるように接着させてなる第一毛髪層と、複数の毛髪を、前記第一毛髪層の上側に、基端縁が直線状になるように横並びに揃えて積層し、それらの毛髪の基端際を、接着剤によって接着幅が前記第一毛髪層の接着幅より狭くなるように接着させてなる第二毛髪層とを有するものであり、前記第一毛髪層に前記両面粘着テープが貼着されていることを特徴とするものである。
【０００８】
請求項２に記載された発明は、請求項１に記載された発明において、前記第一毛髪層および前記第二毛髪層が、一定の厚み（あるいは略一定の厚み）になるように形成されたものであることを特徴とするものである。
【０００９】
請求項３に記載された発明は、請求項１、または２に記載された発明において、前記第一毛髪層および前記第二毛髪層の厚みが、それぞれ、０．０５ｍｍ以上０．４ｍｍ以下になるように調整されているとともに、第二毛髪層の厚みが前記第一毛髪層の厚み以下になっていることを特徴とするものである。
【００１０】
請求項４に記載された発明は、請求項１〜３のいずれかに記載された発明において、前記両面粘着テープの外端縁に、所定の間隔でスリットが平行に設けられていることを特徴とするものである。
【発明の効果】
【００１１】
請求項１に記載のヘアエクステンションは、両面粘着テープ（粘着手段）を利用して非常に短時間の内にきわめて容易に頭髪に装着することができる。その上、両面粘着テープを貼着した毛髪の束の基端が、複数の毛髪を広い幅（毛髪の長手方向に沿って広い幅）で接着してなる第一毛髪層の上に、複数の毛髪を狭い幅（毛髪の長手方向に沿って狭い幅）で接着してなる第二毛髪層を積層したものであるため（すなわち、接着部分が目立ちにくい第二毛髪層によって第一毛髪層を覆ったものであるため）、毛髪の束の基端の外側から両面粘着テープが見えにくいので、装着していることを他の人に悟られにくい。また、従来のヘアエクステンションのように、粘着された毛髪の隙間から地毛が両面粘着テープに張り付いてしまう、という事態が生じにくい。
【００１２】
請求項２に記載のヘアエクステンションは、第一毛髪層および第二毛髪層が、一定の厚み（±０．１ｍｍ程度である略一定の厚みを含む）になるように形成されたものであるため、毛髪の束の基端の外側から両面粘着テープが非常に見えにくい。また、第一毛髪層と第二毛髪層との接着強度が高いので、束ねられた毛髪が脱離する、という事態が起こりにくい。
【００１３】
請求項３に記載のヘアエクステンションは、第一毛髪層および第二毛髪層の厚みが、それぞれ、所定の厚みに調整されているとともに、第二毛髪層の厚みが第一毛髪層の厚み以下になっているため、毛髪の束の基端の外側から両面粘着テープがきわめて見えにくい上、長期間使用した場合でも第二毛髪層を構成する毛髪が脱離する、という事態が生じにくい。
【００１４】
請求項４に記載のヘアエクステンションは、両面粘着テープの外端縁に、所定の間隔でスリットが平行に設けられているため、スリットの部分で両面粘着テープを折り曲げて、頭髪（地毛）を両面粘着テープによって挟み込んだ状態で強固に接着（粘着）することができる。
【図面の簡単な説明】
【００１５】
【図１】ヘアエクステンションを示す説明図である（ａは正面図であり、ｂは背面図であり、ｃは右側面図である、ｄは分解した状態の右側面図である）。
【図２】ヘアエクステンションを示す説明図である（ａは平面図であり、ｂは分解した状態の平面図であり、ｃはｂにおけるＡ部分を拡大して示した概念図である）。
【図３】ヘアエクステンションの製造方法を示す説明図である（ａ−１〜ｃ−１は正面図であり、ａ−２〜ｃ−２は右側面図である）。
【図４】ヘアエクステンションの製造方法を示す説明図である（ｄ−１〜ｇ−１は正面図であり、ｄ−２〜ｇ−２は右側面図である）。
【図５】ヘアエクステンションを頭髪（地毛）に装着する様子を示す説明図（側面図）である（ａは装着前の状態であり、ｂは剥離紙を剥がした状態を示したものであり、ｃは地毛に粘着させた状態を示したものである）。
【図６】ヘアエクステンションを頭髪（地毛）に装着する様子を示す説明図（剥離紙を剥がした状態の平面図）である。
【図７】ヘアエクステンションを頭髪（地毛）に装着した状態を示す説明図（頭髪を上方から見た図）である。
【発明を実施するための形態】
【００１６】
本発明に係るヘアエクステンションは、毛髪の束の基端が、横並びに揃えた複数の毛髪（第一の毛髪）の基端際を接着剤によって一定の幅（毛髪の長手方向に沿った幅）で接着させてなる第一毛髪層と、横並びに揃えた複数の毛髪（第二の毛髪）の基端際を接着剤によって第一毛髪層の接着幅より狭い（短い）幅で接着させてなる第二毛髪層とを積層したものであって、第一毛髪層の裏面（内面）に両面粘着テープ（粘着手段）が貼着（粘着）されていることを特徴とするものである。すなわち、本発明に係るヘアエクステンションは、第一毛髪層の上側に、第一毛髪層よりも接着幅の狭い（短い）第二毛髪層を積層することによって（すなわち、接着部分が目立たない第二毛髪層を積層することによって）、第一毛髪層を外部から見えにくくすることによって、装着していることをきわめて悟られにくくしたものである。
【００１７】
第一毛髪層の接着幅は、特に限定されないが、５．０ｍｍ以上１１．０ｍｍ以下であると好ましい。第一毛髪層の接着幅が５．０ｍｍ未満であると、両面粘着テープとの粘着強度が不十分となるので好ましくなく、反対に、第一毛髪層の接着幅が１１．０ｍｍを上回ると、第一毛髪層を構成する毛髪の動きが不自然になり、エクステンションを装着していることを他の人に悟られ易くなってしまうので好ましくない。
【００１８】
また、第二毛髪層の接着幅も、特に限定されないが、１．５ｍｍ以上６．０ｍｍ以下であると好ましい。第二毛髪層の接着幅が１．５ｍｍ未満であると、使用中に第二毛髪層を構成する毛髪が脱離し易くなってしまうので好ましくなく、反対に、第二毛髪層の接着幅が６．０ｍｍを上回ると、第二毛髪層の接着部分が目立って、エクステンションを装着していることを他の人に悟られ易くなってしまうので好ましくない。
【００１９】
また、本発明に係るヘアエクステンションは、第一毛髪層および第二毛髪層が、略一定の厚みになるように形成されたものであると好ましく、第一毛髪層および第二毛髪層の厚みが、それぞれ、０．０５ｍｍ以上０．４ｍｍ以下になるように調整されていると、より好ましい。第一毛髪層の厚みが０．０５ｍｍ未満であると、外側から両面粘着テープが見え易くなってしまうので好ましくなく、反対に、第一毛髪層の厚みが０．４ｍｍを上回ると、ヘアエクステンションの折り曲げ柔軟性が損なわれてしまうので好ましくない。また、第二毛髪層の厚みが０．０５ｍｍ未満であると、第一毛髪層が外部から見え易くなり、エクステンションを装着していることを他の人に悟られ易くなってしまうので好ましくなく、反対に、第二毛髪層の厚みが０．４ｍｍを上回ると、第二毛髪層を構成する毛髪（第二の毛髪）が脱離し易くなってしまうので好ましくない。加えて、第二毛髪層の厚みが第一毛髪層の厚み以下であると、第一毛髪層に対する第二毛髪層の接着強度が高くなるので一層好ましい。
【００２０】
加えて、毛髪の束の基端を接着するための接着剤（すなわち、第一毛髪層および第二毛髪層を形成するための接着剤）は、特に限定されず、アクリル樹脂系、エポキシ樹脂系、ポリウレタン系、ポリオレフィン系、エチレン-酢酸ビニル樹脂エマルジョン系、シリコーン系等の各種の樹脂系の接着剤（溶剤に溶かしたものや水に分散させたもの等）を好適に用いることができる。それらの中でも、ポリウレタン系の接着剤を用いると、製造時のハンドリング性が良好になる上、第一毛髪層、第二毛髪層のそれぞれの接着強度、および、第一毛髪層と第二毛髪層との界面の接着強度が良好なものとなるので好ましい。なお、本発明に係るエクステンションの製造においては、第一毛髪層を形成する接着剤と第二毛髪層を形成する接着剤とを異ならせることも可能であるが、第一毛髪層を形成する接着剤と第二毛髪層を形成する接着剤とを同じにすると、第一毛髪層と第二毛髪層との接着強度が良好なものとなり易いのでより好ましい。
【実施例】
【００２１】
以下、本発明に係るヘアエクステンションについて、実施例によって詳細に説明するが、本発明は、かかる実施例の態様に何ら限定されるものではなく、本発明の趣旨を逸脱しない範囲で、適宜変更することが可能である。
【００２２】
＜ヘアエクステンションの構造＞
図１は、本発明に係るヘアエクステンションを示したものであり、ヘアエクステンション１は、毛髪の束（集合体）２、両面粘着テープ３、剥離紙（離型紙）４によって構成されている。
【００２３】
毛髪の束（集合体）２は、毛髪（第一の毛髪（人毛）ｈ１，ｈ１・・および第二の毛髪（人毛）ｈ２，ｈ２・・）の基端部分（毛先側と反対側の部分）を平行に揃えて束ねることによって形成されている。そして、基端の部分においては、第一毛髪層Ｌ１の上側に、第二毛髪層Ｌ２を積層した二層構造になっている。
【００２４】
第一毛髪層Ｌ１は、束ねた毛髪ｈ１，ｈ１・・の基端を、接着剤（ポリウレタン系樹脂を主成分とするもの）Ｂによって接着することによって形成されており、左右（図１における左右）の幅×上下（図１における上下）の長さ×厚み＝２２．０ｍｍ×８．０ｍｍ×０．２ｍｍの大きさを有している。
【００２５】
また、第二毛髪層Ｌ２も、第一毛髪層Ｌ１と同様に、束ねた毛髪ｈ２，ｈ２・・の基端を、第一毛髪層Ｌ１の接着剤Ｂと同じ接着剤Ｂによって接着することによって形成されているが、上下（図１における上下）の長さが、第一毛髪層Ｌ１よりも短くなっている。すなわち、第二毛髪層Ｌ２は、左右（図１における左右）の幅×上下（図１における上下）の長さ×厚み＝２２．０ｍｍ×３．５ｍｍ×０．２ｍｍの大きさを有している。そして、それらの第一毛髪層Ｌ１と第二毛髪層Ｌ２とが、基端縁を直線状に揃えた状態で、第二毛髪層Ｌ２を構成している接着剤によって接着し合った状態になっている。
【００２６】
さらに、上記の如く、第一毛髪層Ｌ１の上側に第二毛髪層Ｌ２を積層してなる毛髪の束２の裏側に、両面粘着テープ３が貼着されている。かかる両面粘着テープ３は、厚さ約５０μｍの合成樹脂（ポリエステル）製のフィルム（黒色に着色したもの）の両面に、粘性を有する合成樹脂（アクリル系樹脂）製の粘着剤を積層させたものであり、両面の粘着層は、約２５μｍの厚みを有している。また、両面粘着テープ３は、左右（図１における左右）の幅×上下（図１における上下）の長さが、毛髪の束２の第一毛髪層Ｌ１と略同じになっている。そして、両面粘着テープ３の片面（表面）の粘着剤層に、毛髪の束２の第一毛髪層Ｌ１の裏側（第二毛髪層Ｌ２の積層側と反対側）の面が粘着した状態になっており、両面粘着テープ３の他面（裏面）の粘着剤層には、両面粘着テープ３と同じ大きさの剥離紙（離型紙）４が粘着した状態になっている。なお、剥離紙４は、約０．１ｍｍの厚みを有している。
【００２７】
加えて、両面粘着テープ３の外端縁（毛髪の長手方向における外側の端縁、図１における上側の端縁）には、３つの逆三角形状の切り欠き（ノッチ）５，５・・が形成されており、それらの切り欠き５，５・・によって、両面粘着テープ３の上端縁際の部分が、４等分にされた状態になっている。また、それらの切り欠き５，５・・とともに、毛髪の束２の第一毛髪層Ｌ１および第二毛髪層Ｌ２も逆三角形状に裁断された状態になっている。なお、各切り欠き５，５・・は、幅×深さ（上下の高さ）＝２．０ｍｍ×１．０ｍｍの大きさを有している。さらに、各切り欠き５，５・・から下方に（鉛直に）、約２．０ｍｍの長さのスリット６，６・・が形成されている。
【００２８】
＜ヘアエクステンションの製造方法＞
図３、図４は、上記の如く構成されるヘアエクステンション１の製造方法の一例を示したものである。ヘアエクステンション１を製造する際には、まず、図３（ａ−１），（ａ−２）の如く、第一の毛髪ｈ１，ｈ１・・の束（毛先の向きを合わせたもの）を、平行になるように並べて、基端際の部分を、工具として用いるガラス板Ｇの上に載置する。
【００２９】
次に、図３（ｂ−１），（ｂ−２）の如く、ガラス板Ｇに載置された第一の毛髪ｈ１，ｈ１・・の束の基端部分に、一定の幅（毛髪の長手方向に沿った一定の幅）で、液状の接着剤（ポリウレタン系樹脂を主成分とするもの）を染み込ませる。さらに、そのように接着剤を染み込ませた部分を、板状の工具を用いて十分に扱いて（しごいて）、不必要な接着剤を取り除くとともに、接着剤を染み込ませた第一の毛髪ｈ１，ｈ１・・の束の基端部分の厚みが一定になるように調整する。しかる後、そのように基端に接着剤を染み込ませた第一の毛髪ｈ１，ｈ１・・の束を、ガラス板Ｇとともに加熱装置（図示せず）によって所定の温度（約６０℃）で加熱して、接着剤を乾燥固化させることによって、第一の毛髪ｈ１，ｈ１・・の束の基端に第一毛髪層Ｌ１を形成する。さらに、第一の毛髪ｈ１，ｈ１・・の基端側をガラス板Ｇの端縁に沿って直線状に切り揃える。
【００３０】
さらに、図３（ｃ−１），（ｃ−２）の如く、ガラス板Ｇに載置された第一の毛髪ｈ１，ｈ１・・の束の基端部分（第一毛髪層Ｌ１）に、第二の毛髪ｈ２，ｈ２・・の束（毛先の向きを合わせたもの）を、平行になるように並べて、基端際の部分をガラス板Ｇの上に載置する（すなわち、第一毛髪層Ｌ１  の上に第二の毛髪ｈ２，ｈ２・・の束を積層する）。
【００３１】
次に、図４（ｄ−１），（ｄ−２）の如く、ガラス板Ｇに載置された第二の毛髪ｈ２，ｈ２・・の束の基端部分に、一定の幅（毛髪の長手方向に沿った一定の幅）で、液状の接着剤（ポリウレタン系樹脂を主成分とするもの）を染み込ませる。そのように、第二の毛髪ｈ２，ｈ２・・の束の基端部分に液状の接着剤を染み込ませる際には、接着剤を染み込ませる幅（毛髪の長手方向に沿った幅）が、第一毛髪層Ｌ１の接着幅より短くなるように調整する。
【００３２】
さらに、上記の如く接着剤を染み込ませた部分を、板状の工具を用いて十分に扱いて、不必要な接着剤を取り除くとともに、接着剤を染み込ませた第二の毛髪ｈ２，ｈ２・・の束の基端部分の厚みが一定になるように調整する。しかる後、第一の毛髪ｈ１，ｈ１・・および第二の毛髪ｈ２，ｈ２・・の束を、ガラス板Ｇとともに加熱装置（図示せず）によって所定の温度（約６０℃）で加熱し、接着剤を乾燥固化させることによって、第一毛髪層Ｌ１の上に、第二の毛髪ｈ２，ｈ２・・の束からなる第二毛髪層Ｌ２を形成する（積層する）。さらに、第二の毛髪ｈ２，ｈ２・・の基端側を、ガラス板Ｇの端縁に沿って直線状に切り揃える（すなわち、第一毛髪層Ｌ１の基端縁と第二毛髪層Ｌ２の基端縁とを合致させる）。
【００３３】
しかる後、図４（ｅ−１），（ｅ−２）の如く、第一毛髪層Ｌ１の裏面に貼り付いた状態になっているガラス板Ｇを取り外す。さらに、図４（ｆ−１），（ｆ−２）の如く、ガラス板Ｇを取り外した第一毛髪層Ｌ１の裏面に両面粘着テープ３の粘着面を粘着させる。なお、そのように第一毛髪層Ｌ１の裏面に両面粘着テープ３の粘着面を粘着させる際には、第一毛髪層Ｌ１の内側の端縁と、両面粘着テープの内側の端縁とが合致するように調整する。さらに、図４（ｇ−１），（ｇ−２）の如く、第一毛髪層Ｌ１の裏面に両面粘着テープ３を粘着させた第一の毛髪ｈ１，ｈ１・・および第二の毛髪ｈ２，ｈ２・・からなる毛髪の束２の基端に、逆三角形状の切り欠き５，５・・およびスリット６，６・・を形成する（形刃を毛髪の束２に押し付けて裁断する）ことによって、エクステンション１の製造を完了する。
【００３４】
＜ヘアエクステンションの使用方法＞
図５〜図７は、ヘアエクステンション１を頭髪（地毛）に装着する方法を示したものであり、ヘアエクステンション１を頭髪に装着する場合には、地毛の内の表層にあるもの（頭頂付近から生えているもの）を上方に持ち上げる等することによって、地毛の内の内部にあるもの（頭部の中間の高さ位置から生えているもの）を露呈させる。そして、図５（ｂ）の如く、ヘアエクステンション１の剥離紙４を剥がして両面粘着テープ３の粘着面（粘着層）を露出させる。しかる後、図５（ｃ）の如く、その両面粘着テープ３の粘着面を、地毛の束（内部にある地毛の束）Ｇに粘着させることによって、ヘアエクステンション１を装着する。なお、エクステンション１は、両面粘着テープ３の上端縁に切り欠き５，５・・が形成されているとともに、各切り欠き５，５・・の下側にスリット６，６・・が設けられているため、図６の如く、切り欠き５，５・・およびスリット６，６・・を設けた位置で両面粘着テープ３の外側の粘着面が対峙するように二つ折りに折り畳んで、地毛の束Ｇを両面粘着テープ３で挟み込むように装着することもできる。
【００３５】
そして、所望する個数のヘアエクステンション１，１・・を、頭髪の略同一の高さ位置において横方向（幅方向）に沿って等間隔に、上記した方法で地毛の束Ｇに粘着させる（図７参照）。しかる後。持ち上げた状態になっている地毛の内の表層にあるものを元通りに垂下させる。
【００３６】
上記の如く地毛に装着されたヘアエクステンション１においては、両面粘着テープ３の外側（表面側）に位置した第一毛髪層Ｌ１の上側に、第一毛髪層Ｌ１よりも接着幅の狭い第二毛髪層Ｌ２が積層されているため（すなわち、接着部分が目立ちにくい第二毛髪層Ｌ２によって第一毛髪層Ｌ１が覆われているため）、外部からは両面粘着テープ３がほとんど見えない状態となっている。したがって、他の人は、ヘアエクステンション１，１・・が頭髪に装着されていることをまったく認識することができない。
【００３７】
＜ヘアエクステンションの効果＞
ヘアエクステンション１は、上記の如く、毛髪の束２の基端が、複数の毛髪ｈ１，ｈ１・・を、基端縁が直線状になるように横並びに揃えて、それらの毛髪ｈ１，ｈ１・・の基端際を、接着幅が一定の幅になるように接着剤によって接着させてなる第一毛髪層Ｌ１と、複数の毛髪ｈ２，ｈ２・・を、第一毛髪層Ｌ１の上側に、基端縁が直線状になるように横並びに揃えて積層し、それらの毛髪ｈ２，ｈ２・・の基端際を、接着剤によって接着幅が第一毛髪層Ｌ１の接着幅より狭くなるように接着させてなる第二毛髪層Ｌ２とを有するものであり、第一毛髪層Ｌ１に両面粘着テープ（粘着手段）３を貼着したものである。
【００３８】
したがって、ヘアエクステンション１は、両面粘着テープ３を利用して非常に短時間の内にきわめて容易に頭髪に装着することができる上、毛髪の束２の基端の外側から両面粘着テープ３が見えにくいので、装着していることを他の人に悟られにくい。また、従来のヘアエクステンションのように、粘着された毛髪の隙間から地毛が両面粘着テープ３に張り付いてしまう、という事態がまったく生じない。また、ヘアエクステンション１は、両面粘着テープ３が第一の毛髪ｈ１，ｈ１・・および第二の毛髪ｈ２，ｈ２・・と同一色（黒色）を有しており、両面粘着テープ３が外部からきわめて認識しにくくなっているため、装着していることを、より他の人に悟られにくい。
【００３９】
さらに、ヘアエクステンション１は、第一毛髪層Ｌ１および第二毛髪層Ｌ２が一定の厚みになるように形成されたものであるため、毛髪の束２の基端の外側から両面粘着テープ３が非常に見えにくい上、第一毛髪層Ｌ１と第二毛髪層Ｌ２との接着強度が高いので、束ねられた毛髪（主として第二の毛髪ｈ２，ｈ２・・）が脱離する、という事態が起こりにくい。
【００４０】
また、ヘアエクステンション１は、第一毛髪層Ｌ１および第二毛髪層Ｌ２の厚みが、それぞれ、０．２ｍｍに調整されており、第二毛髪層Ｌ２の厚みが第一毛髪層Ｌ１の厚みと同じになっているため、毛髪の束２の基端の外側から両面粘着テープ３がきわめて見えにくい上、長期間使用した場合でも第二毛髪層Ｌ２が脱離する、という事態が生じにくい。
【００４１】
加えて、ヘアエクステンション１は、両面粘着テープ３の外端縁に、所定の間隔でスリット６，６・・が平行に設けられているため、スリット６，６・・の部分で両面粘着テープ３を折り曲げて、頭髪（地毛）を両面粘着テープ３によって挟み込んだ状態で強固に接着（粘着）することができる。
【００４２】
＜ヘアエクステンションの変更例＞
本発明に係るヘアエクステンションは、上記した実施形態の態様に何ら限定されるものではなく、毛髪の束、両面粘着テープ、剥離紙の材質、形状、構造、大きさ等の構成を、本発明の趣旨を逸脱しない範囲で、必要に応じて適宜変更することができる。
【００４３】
たとえば、本発明に係るヘアエクステンションは、上記実施形態の如く、毛髪として人毛のみを使用したものに限定されず、少なくとも一部の毛髪を人工毛としたもの等に変更することも可能である。
【００４４】
また、本発明に係るヘアエクステンションは、上記実施形態の如く、両面粘着テープの基材が合成樹脂フィルムであるものに限定されず、両面粘着テープの基材が紙であるもの等に変更することも可能である。なお、上記実施形態の如く、両面粘着テープの基材が合成樹脂フィルムであるものとした場合には、装着した状態で洗髪した場合に両面粘着テープが破れにくい、というメリットがある。
【００４５】
さらに、本発明に係るヘアエクステンションは、上記実施形態の如く、両面粘着テープが黒色であるものに限定されず、両面粘着テープが黒以外の色に着色されたものや着色されていないものでも良い。たとえば、本発明に係るヘアエクステンションを、茶色や金色の地毛に装着するものとする場合には、それらの地毛の色に合わせて、第一の毛髪、第二の毛髪および両面粘着テープが茶色や金色であるものにすることも可能である。
【００４６】
さらに、本発明に係るヘアエクステンションは、上記実施形態の如く、両面粘着テープの粘着剤がアクリル系樹脂からなる粘着剤であるものに限定されず、ゴム系の粘着剤、シリコーン系樹脂からなる粘着剤等のアクリル系樹脂以外の樹脂からなる粘着剤であるものに変更することも可能である。なお、上記実施形態の如く、両面粘着テープの粘着剤をアクリル系樹脂からなる粘着剤とした場合には、装着した状態で界面活性剤（シャンプー等）を用いて洗髪しても粘着力が落ちにくい（すなわち、第一の毛髪の束、第二の毛髪の束が取れにくく、地毛から剥がれにくい）、というメリットがある。
【００４７】
さらに、本発明に係るヘアエクステンションは、上記実施形態の如く、毛髪の束の基端が第一毛髪層および第二毛髪層のみからなるものに限定されず、第二毛髪層の上側に、第二毛髪層の接着幅（毛髪の長手方向に沿った接着幅）よりもさらに狭い（短い）接着幅を有する第三毛髪層を積層したもの等でも良い。
【００４８】
加えて、複数のヘアエクステンションの装着態様も、上記実施形態の如く、頭髪の略同一の高さ位置に置いて横方向（幅方向）に沿って等間隔に装着する態様に限定されず、地毛のボリュームや所望するヘアスタイルに合わせて適宜変更することができる。
【００４９】
一方、本発明に係るヘアエクステンションの製造方法は、上記実施形態の如く、所定の横幅（１個分の横幅）を有する毛髪の束の基端に第一毛髪層および第二毛髪層を形成して両面粘着テープを装着するものに限定されず、幅広な（２個分以上の横幅を有する）毛髪の束の基端に第一毛髪層および第二毛髪層を形成して両面粘着テープを装着した後に所定の横幅（１個分の横幅）になるように裁断するもの等に変更することも可能である。
【産業上の利用可能性】
【００５０】
本発明のヘアエクステンションは、上記の如く優れた効果を奏するものであるから、地毛のボリュームをアップするための部材として好適に用いることができる。
【符号の説明】
【００５１】
１・・ヘアエクステンション
２・・毛髪の束（集合体）
３・・両面粘着テープ（粘着手段）
４・・剥離紙（離型紙）
５・・切り欠き
６・・スリット
ｈ１・・第一の毛髪
ｈ２・・第二の毛髪
Ｌ１・・第一毛髪層
Ｌ２・・第二毛髪層
Ｇ・・地毛の束
Ｂ・・接着剤
【要約】
【課題】きわめて容易に頭髪（地毛）に装着することができる上、頭髪に装着していることを他の人に悟られにくい実用的なヘアエクステンションを提供する。
【解決手段】ヘアエクステンション１は、毛髪の束２、両面粘着テープ３、剥離紙４によって構成されている。そして、毛髪の束２の基端が、複数の毛髪ｈ１，ｈ１・・を、基端縁が直線状になるように横並びに揃えて、それらの毛髪ｈ１，ｈ１・・の基端際を、接着幅が一定の幅になるように接着剤によって接着させてなる第一毛髪層Ｌ１と、複数の毛髪ｈ２，ｈ２・・を、第一毛髪層Ｌ１の上側に、基端縁が直線状になるように横並びに揃えて積層し、それらの毛髪ｈ２，ｈ２・・の基端際を、接着剤によって接着幅が第一毛髪層Ｌ１の接着幅より狭くなるように接着させてなる第二毛髪層Ｌ２とを有している。さらに、第一毛髪層Ｌ１に両面粘着テープ３が貼着されている。
【選択図】図１【図１】
0006732148.tif 000002
【図２】
0006732148.tif 000003
【図３】
0006732148.tif 000004
【図４】
0006732148.tif 000005
【図５】
0006732148.tif 000006
【図６】
0006732148.tif 000007
【図７】
0006732148.tif 000008